(57)【特許請求の範囲】
【請求項１】
筆記具本体から供給されるインキを誘導し、かつ保留できるペン体を有する筆記具において、上記ペン体は、インキ誘導部と、該インキ誘導部からのインキを導出し線幅２ｍｍ以上の描線幅が得られる筆記部とを備えると共に、該筆記部の軸方向の上側に筆記方向を視認できる可視部を備えたことを特徴とする筆記具。
【請求項２】
ペン体の可視部には、その幅方向両側又は片側にインキ誘導部を備えると共に、可視部の下部に上記インキ誘導部からのインキを導出する筆記部を備えてなる請求項１記載の筆記具。
【請求項３】
筆記具本体から供給されるインキを誘導し、かつ保留できるペン体を有する筆記具において、上記ペン体は、インキ誘導部と、該インキ誘導部からのインキを導出する筆記部とを備えると共に、該筆記部の軸方向の上側に筆記方向を視認できる可視部を備え、上記可視部には、その幅方向両側又は片側にインキ誘導部を備えると共に、可視部の下部に上記インキ誘導部からのインキを導出する筆記部を備えてなることを特徴とする筆記具。
【請求項４】
ペン体の筆記部が線幅２ｍｍ以上の描線幅が得られる筆記部である請求項３記載の筆記具。
【請求項５】
ペン体のインキ誘導部と筆記部とが一体に形成された多孔質部材からなる請求項１〜４の何れか一つに記載の筆記具。
【請求項６】
インキ誘導部及び筆記部を支持する支持部材を備え、該支持部材の少なくとも一部を筆記方向を視認できる可視部とする請求項１〜５の何れか一つに記載の筆記具。
【請求項７】
支持部材の可視部が透明な支持部材又は素通しの窓部からなる請求項６に記載の筆記具。
【請求項８】
可視部内にインキ誘導部を有し、かつ、可視部の下部に上記インキ誘導部からのインキを導出する筆記部を備えてなる請求項１〜７の何れか一つに記載の筆記具。
【請求項９】
可視部がレンズ部材からなる請求項１〜８の何れか一つに記載の筆記具。
【請求項１０】
インキが蛍光色素を含有するインキからなる請求項１〜９に記載の筆記具。
【発明の詳細な説明】
【０００１】
【発明の属する技術分野】
本発明は、筆記具本体から供給されるインキを誘導し、かつ保留できるペン体を有する筆記具等に関し、更に詳しくは、一般に、ペイントマーカー、油性マーカー、水性マーカー、アンダーラインペンと呼ばれるタイプの液体筆記具等に関する。
【０００２】
【従来の技術】
従来において、ペン先となるペン体に筆記具本体からインキを供給する液体筆記具等の形態としては、例えば、▲１▼ペン先の後端に接続されたインキ吸蔵体にインキを保留させた筆記具、▲２▼ペン先とインキ室の間に弁機構部を設けてペン先の押圧移動で弁を解放してインキの導出を行う筆記具、▲３▼後端をノックして弁機構を解放するようにした筆記具、▲４▼インキ室に液密に前進する栓体と弁体が配設されて筆記に伴う負圧で弁体を微小に解放してインキを供給するようにした筆記具、▲５▼ペン先とインキ室の間に多数のフインを有したインキ保溜体（コレクター部材）を備えた筆記具、など種々の液体筆記具等が知られている。
【０００３】
しかしながら、これらの液体筆記具等において、描線幅の太いものを右手を用いて左から右に筆記する場合、ペン先となるペン体が太いためにペン体の右側が見にくく、線の右終点位置を特定しようとする時に不便である。
これは、模造紙等に表の枠線を引く場合や、横書きの資料にアンダーラインペン等で文字を塗りつぶす時に顕著なものである。この不便さを解消するために、右から左への運筆や図２７（ａ）に示すように、筆記具を不自然な持ち方で対処しているケースが見られるが、これらは本来の筆記具の使用方法とは異なるため違和感があり、指等に無理な負担をかけるものである。なお、図２７（ｂ）は自然な持ち方での筆記である。
【０００４】
このような線の右終点位置を特定しようとする時に生じる不便さ問題等は、筆記部の描線幅が２ｍｍ以上と太い筆記具では更に起こりやすいものである。また、筆記角度を４５度以下で筆記する場合には、上記のような問題は起こりにくいが、低筆記角度での筆記は身体に近いところでの筆記には非常に不便であり、特に、電車、飛行機など比較的狭い場所での使用には更に上記不便さ等の問題を生じるものである。
これは、ただ単にペン体の筆記部の形状だけでなく、図２８（例えば、実開昭５６−１４０４８５号公報）に示されるように、ペン先部分１と軸部２を曲げた筆記具３においても、筆記角度が大きいとペンの反対側は見えなくなるし、筆記角度が小さいと構造によっては反対側が見えるものの体に近いところでの筆記で不便があり、上述と同様の課題があるものである。
また、筆ペンや、実開昭５４−３３７３１号公報に記載の太ささが可変であり、柔軟なペン先を持つ筆記具では、ある程度筆記荷重をかけると、ペンの反対側はみえるものの、安定した筆記描線幅が得られないため、不都合となる課題がある。
【０００５】
更に、万年筆などのインキガイドスリットを有する割ペン先を有する筆記具の中には、例えば、実開昭４８−５１４２７号公報、実開昭４９−１１５０２３号公報、実開平３−２９３９０号公報、特開平９−５２４８６号公報に開示されるような屈曲したペン先部を有するものが数多く知られている。しかしながら、これらの筆記具の主目的は、上述の筆ペンのように描線幅を可変とするものであり、また、「くの字」型になっている筆記具では図２８に示されるペン先部分１と軸部２を曲げた筆記具３と同様の課題があり、また、割ペンのペン先はペン先方向の筆記角度だけでなく、横方向の筆記角度が限定されているために線引きには適さないものである。
【０００６】
【発明が解決しようとする課題】
本発明は、筆記具本体から供給されるインキを誘導し、かつ保留できるペン体を有する筆記具において、ペン先となるペン体の反対側が簡単に視認でき、線引きの終点位置を容易に認識できる筆記具を提供することを目的とする。
【０００７】
【課題を解決するための手段】
本発明者は、上記従来の課題に鑑み、これを解消しようとするものであり、筆記具本体から供給されるインキを誘導し、かつ保留できるペン体を有する筆記具において、上記ペン体を特定構造とすることにより、上記目的の筆記具が得られることを見い出し、本発明を完成するに至ったのである。
すなわち、本発明は次の(1)〜(10)に存する。
(1) 筆記具本体から供給されるインキを誘導し、かつ保留できるペン体を有する筆記具において、上記ペン体は、インキ誘導部と、該インキ誘導部からのインキを導出し線幅２ｍｍ以上の描線幅が得られる筆記部とを備えると共に、該筆記部の軸方向の上側に筆記方向を視認できる可視部を備えたことを特徴とする筆記具。
(2) ペン体の可視部には、その幅方向両側又は片側にインキ誘導部を備えると共に、可視部の下部に上記インキ誘導部からのインキを導出する筆記部を備えてなる上記(1)記載の筆記具。
(3) 筆記具本体から供給されるインキを誘導し、かつ保留できるペン体を有する筆記具において、上記ペン体は、インキ誘導部と、該インキ誘導部からのインキを導出する筆記部とを備えると共に、該筆記部の軸方向の上側に筆記方向を視認できる可視部を備え、上記可視部には、その幅方向両側又は片側にインキ誘導部を備えると共に、可視部の下部に上記インキ誘導部からのインキを導出する筆記部を備えてなることを特徴とする筆記具。
(4) ペン体の筆記部が線幅２ｍｍ以上の描線幅が得られる筆記部である上記(3)記載の筆記具。
(5) ペン体のインキ誘導部と筆記部とが一体に形成された多孔質部材からなる上記(1)〜(4)の何れか一つに記載の筆記具。
(6) インキ誘導部及び筆記部を支持する支持部材を備え、該支持部材の少なくとも一部を筆記方向を視認できる可視部とする上記(1)〜(5)の何れか一つに記載の筆記具。
(7) 支持部材の可視部が透明な支持部材又は素通しの窓部からなる上記(6)に記載の筆記具。
(8) 可視部内にインキ誘導部を有し、かつ、可視部の下部に上記インキ誘導部からのインキを導出する筆記部を備えてなる上記(1)〜(7)の何れか一つに記載の筆記具。
(9) 可視部がレンズ部材からなる上記(1)〜(8)の何れか一つに記載の筆記具。
(10) インキが蛍光色素を含有するインキからなる上記(1)〜(9)に記載の筆記具。
【０００８】
【発明の実施の形態】
以下に、本発明の実施の形態を図面を参照しながら詳しく説明する。
図１〜図７は、本発明の要旨となるペン体を備えた種々の態様となる筆記具の実施形態を示すものである。これらの実施形態は、ペン体以外の形態は基本的には一般的なものであり、以下、概略して説明する。
【０００９】
図１は、筆記具本体となる軸筒１００内に収納したインキ吸蔵体１０１にインキを吸蔵させるタイプの筆記具Ａの実施形態である。該筆記具Ａは、ペン体１０の後端にインキ吸蔵体１０１を接続してインキ吸蔵体１０１のインキをペン体１０に供給する構成となっている。なお、図示符号１０２は尾栓である。
図２は、弁機構を備えるタイプの筆記具Ｂの実施形態である。該筆記具Ｂは、ペン体１０と筆記具本体となる軸筒１１０のインキ室１１１との間に弁機構部１１２を設けて、ペン先方向の押圧移動でスプリング１１３の附勢力に抗して弁棒１１４を後退させて弁部１１５を解放してインキの導出を行うようにしたものである。また、インキの粘度が高かかったりインキの成分が沈降しやすい場合にはインキ室１１１内に撹拌ボール（図示せず）を内蔵していてもよい。なお、図示符号１１６は弁座部である。
【００１０】
図３及び図４は、別の弁機構を備えるタイプの筆記具Ｃの実施形態である。筆記具Ｃは、筆記具本体となる軸筒１２０内に弁棒１２１がスプリング１２２で附勢されてその弁部１２３が弁座部１２４に密接すると共に、弁部１２３後方のインキ室１２５にインキ１２６が充填され、更にそのインキ１２６の後端にインキの蒸発や逆流を防止すると共にインキの消耗に伴って追随するグリ−ス状等のフォロア１２７と必要によってフォロア１２７内にフォロアと略同等の比重を有する樹脂製の栓体１２８が浸漬され、フォロア１２７を貫通する弁棒１２１の後端に尾栓１２９が固定されている。
この実施形態の筆記具Ｃは、図４に示すように、ペン体１０をシールするキャップ１３０を尾栓１２９に止着して、その後端をノックすると弁部１２３と弁座部１２４の密接状態が解除されてインキ１２６がペン体１０に供給可能となるものである。
【００１１】
図５は、別の弁機構を備えるタイプの筆記具Ｄの実施形態である。該筆記具Ｄは、筆記具本体となる軸筒１４０内のインキ室１４１に液密に前進する栓体１４２と弁体１４３が配設されて、筆記に伴う負圧で弁体１４３に設けられてインキ室１４１の壁面に密接する弁部１４４が僅かに変形して開口し、溝１４５を通じて前方のペン体１０にインキ１４６が供給可能となるものである。なお、上記栓体１４２と弁体１４３はシリコンゴム等の弾性体が使用される。なお、図示符号１４６は尾栓であり、１４７は通気口である。
【００１２】
図６は、インキ保溜体（コレクター部材）を有するタイプの筆記具Ｅの実施形態である。該筆記具Ｅは、ペン体１０と筆記具本体となる軸筒１５０内のインキ室１５１の間に多数のフインを有したインキ保溜体１５２が配設され、その軸心部にインキ誘導芯１５３が設けられてペン体１０にインキ１５４が供給される構成となっている。
【００１３】
図７（ａ）及び（ｂ）は、筆記具本体となる軸筒１６０内にインキ吸蔵体１６１にインキを吸蔵させ、両端に細字タイプのペン体１６２と太字タイプのペン体９０（ペン体形状は図１等と相違する）を有するタイプの筆記具Ｆの実施形態である。該筆記具Ｆは、太字タイプのペン体９０及び細字タイプのペン体１６２の夫々の後端にインキ吸蔵体１６１を接続してインキ吸蔵体１６１のインキをペン体１９及びペン体１６２に供給する構成となっている。なお、図示符号１６３、１６４はキャップである。また、１６５は後軸であり、該後軸１６５にペン体９０（詳細は後述する図２４〜図２６にて示すペン体９０）が取り付けられている。
【００１４】
図８は、本発明の筆記具の要旨となるペン体の第１実施形態であり、上述した筆記具の実施形態Ａ〜Ｅのペン体として示されている。
第１実施形態のペン体１０は、支持部材１１の外周面にインキ誘導部１２が被覆されている。支持部材１１は筆記方向を視認できる透明な樹脂又はガラス等の部材、具体的には、平行光線透過率３０％以上、好ましくは、平行光線透過率５０％以上、更に好ましくは平行光線透過率７０％以上の透明な樹脂又はガラス等の部材（以下、「透明な支持部材」ということもある）であり、前方に幅広の平滑面となる可視部１１ａと後方に軸部１１ｂが形成されている。この平行光線透過率３０％未満の樹脂又はガラス等の部材であると、筆記方向を鮮明に視認することができず、好ましくない。この物性を満足する樹脂等としては、例えば、スチレン−イソプレン樹脂、アイオノマー樹脂、ＳＢＲ−ＰＰのブレンド樹脂、アクリル樹脂、ナイロン樹脂、ポリメチルペンテンなどが挙げられる。
また、インキ誘導部１２は、スポンジなどの高分子発泡体、浸透印等に用いられる多孔質のゴム体、不繊布、フェルト、繊維束を樹脂で固めたもの、または、金属、セラミック、高分子の焼結体などの多孔質部材から構成されたものであり、これらの多孔質部材（以下の実施形態においても同様）は、嵌着、または接着剤による接着、または熔着などにより支持部材１１の外周に被覆されている。なお、支持部材１１の外周面にインキ誘導部１２の被覆を更に確実にするため嵌合溝等を施してもよいものである。
【００１５】
また、筆記部１３は、インキ誘導部１２と同じ素材で一体に支持部材１１の下部に上述の態様で被覆されており、図８では軸方向と４５度以下の勾配を有して示されているが、無論平面であってもよい。これらの形状は、筆記等の使い勝手に合わせて適宜設定される。また、筆記部１３は、描線幅が太いものであり、好ましくは、描線幅２ｍｍ以上、更に好ましくは、描線幅３ｍｍ以上の描線幅となる筆記部である。
上記インキ誘導部１２は、上記支持部材１１の軸部１１ｂを被覆するインキ誘導軸部１２ａを有するが、可視部１１ａの軸直角面は露出するように形成されている。なお、軸部１１ｂ、インキ誘導軸部１２ａの横断面形状は丸軸、角軸などの形状に適宜設定される。
更に、上記可視部１１ａをレンズ効果を有するレンズ部材（以下の実施形態においても同様）により構成すれば、透視される視野を拡大して見ることが可能となる。
【００１６】
この第１実施形態のペン体１０を有する筆記具、例えば、上述の図１〜６に示した筆記具の実施形態Ａ〜Ｅのペン体に好適に適用できるものである。なお、図７の実施形態の細字及び太字タイプの筆記具Ｆの太字用のペン体に（図７におけるペン体構造は当該第１実施形態の構造と若干相違するが）第１実施形態のペン体１０を好適に適用できることはいうまでもない。
この第１実施形態のペン体１０を有する筆記具、例えば、図１〜７に示した描線幅の太いペン体１０を有する筆記具Ａ〜Ｆを右手を用いて左から右に通常筆記する場合、支持部材１１を透明な樹脂又はガラス等の部材からなる可視部１１ａ及び軸部１１ｂとしたので、筆記部１３の軸方向直上に位置する可視部１１ａ（及び軸部１１ｂ）によりペン先の右側が見やすくなって線の右終点位置が容易に特定可能となる。
これにより、模造紙に表の枠線を引く場合や、横書きの資料に上記筆記具でアンダーライン等で文字を塗りつぶす時や、電車や飛行機など比較的狭い場所での使用に際して顕著な使い勝手を向上することができるものとなる。
【００１７】
以下に、本発明の筆記具の要旨となるペン体の他の各実施形態を図９〜図２６に示して説明する。これらの図９〜図２６に示す各実施形態のペン体は、例えば、図１〜７に示した夫々の筆記具Ａ〜Ｆのペン体として好適に適用でき、上記第１実施形態のペン体１０と同様に各々の可視部により、ペン先の右側が見やすくなって線の右終点位置が容易に視認できるものとなる。
図９（ａ）は、ペン体の第２実施形態である。この第２実施形態のペン体１５は、上記第１実施形態のペン体１０と略同じ構成であり、相違する点は支持部材１６の可視部を枠状の素通しとなる窓部１７を形成、具体的には、支持部材１６に窓部１７を穿設して筆記方向を視認できるものとしたものである。
なお、上記第１実施形態のペン体と同様の構成は同じ図示符号で示し、その説明を省略する。また、この第２実施形態では、素通しとなる窓部１７で筆記方向を視認できるので、支持部材１６は必ずしも透明な樹脂等である必要はないものである。更に、図９（ｂ）に示すように、支持部材１６を使用することなく、多孔質部材から一体に構成されるインキ誘導部１２と筆記部１３とを肉厚にし、かつ、可視部を枠状の素通しとなる窓部１７となるように成形したペン体１５であってもよいものである。
【００１８】
図１０（ａ）及び（ｂ）は、ペン体の第３実施形態である。この第３実施形態のペン体２０は、支持部材２１が上記第１実施形態と同じ特性の樹脂又はガラス等の部材からなるものである。また、インキ誘導部２２及び筆記部２３は、上記第１実施形態と同様に多孔質部材であり、支持部材２１の軸部２１ａがインキ誘導部２２の軸部２２ａの内孔に装着されると共に、可視部２４の外周に設けた突部２４ａがインキ誘導部２２の枠状部２２ｂの内側に設けた凹部２２ｃに係合されて支持部材２１にインキ誘導部２２及び筆記部２３が一体に固定される構成となっている。なお、二重成形で形成することも可能である。
【００１９】
図１１は、ペン体の第４実施形態である。この第４実施形態のペン体２５は、上記第４実施形態のペン体と略同様の構成であり、相違する点は支持部材２６の可視部を枠状の素通しとなる窓部２６ａに形成して筆記方向を視認できるものとしたものである。なお、上記第３実施形態のペン体と同様の構成は同じ図示符号で示し、その説明を省略する。
【００２０】
図１２は、ペン体の第５実施形態である。この第５実施形態のペン体２７は、支持部材２８の外周部にインキ誘導部２９ａと筆記部２９ｂとが一体に周状に被覆されてなるものである。この場合、可視部２８ａ、軸部２８ｂは全体が扁平な板状に形成されている。
【００２１】
図１３（ａ）及び（ｂ）は、ペン体の第６実施形態である。この第６実施形態のペン体３０は、透明な支持部材３１の前端に脚部３２ａで固定された筆記部３２が設けられ、この筆記部３２の脚部３２ａ後端に連通して上記支持部材３１内部所要箇所にインキを毛管作用で誘導可能とするインキ誘導溝からなるインキ誘導部３３が設けられている。なお、支持部材３１は透明な樹脂等で構成されているので、３１ａが可視部となり、可視部３１ａ内の流通するインキを通して筆記方向を視認するものである。
また、インキ誘導溝３３を容易に形成する方法として支持部材３１を３１Ａ、３１Ｂの２部材となして、一方又は双方の内面にインキ誘導部３３を形成することができる。更に、３１Ａ、３１Ｂの２部材は、インキ誘導部３３以外は密接するよう相互間の嵌合、接着、溶着などで一体化することができる。
【００２２】
図１４（ａ）及び（ｂ）は、ペン体の第７実施形態である。この第７実施形態のペン体３５は、上記第６実施形態のペン体３０と略同じ構成であり、相違する点はインキ誘導部３６と筆記部３７とが一体に形成され、略コの字状に支持部材３６の前端に固定されていることと、また、コの字状に形成された脚部３７ａにインキが均一に誘導されるように支持部材３１の内部所要箇所にインキ誘導溝３３が枝状に配設されているものである。なお、上記第６実施形態のペン体と同様の構成は同じ図示符号で示し、その説明を省略する。
【００２３】
図１５（ａ）及び（ｂ）は、ペン体の第８実施形態である。この第８実施形態のペン体４０は、上記第６実施形態のペン体と略同じ構成であり、相違する点は支持部材４１に可視部となる窓部４２が穿設されると共に、インキ誘導溝４３がその窓部４２を迂回して形成され、筆記部４４にインキが毛管作用で供給可能となっている。従って、窓部４２で筆記方向を視認できるので、支持部材４１は必ずしも透明である必要はない。
【００２４】
図１６（ａ）〜（ｃ）は、上述した第６実施形態〜第８実施形態に対応可能とする支持部材４５のインキ誘導溝からなるインキ誘導部４６の前端面をそれぞれ示している。また、図１６（ｄ）は第６実施形態〜第８実施形態に対応可能とするもので４５Ａ、４５Ｂの２部材を合わせた支持部材４７の外周に透明なポリオレフィン、シリコーン、フッ素樹脂などの熱収縮チューブ等からなる外皮４８が密着されている。また、図１６（ｅ）も第６実施形態〜第８実施形態にに対応可能とするもので支持部材４９の中心部にインキ誘導溝からなるインキ誘導部５０に多孔質部材からなるインキ誘導多孔質部材５１が挿通されている。
更に、図１７（ａ）は支持部材５２にジグザグ状のインキ誘導溝５３を形成したもの、図１７（ｂ）は支持部材５４に枝状のインキ誘導溝５５を形成したもの、図１７（ｃ）は支持部材５６の側面にスリット状のインキ誘導溝５７を形成したものを示している。
更にまた、上述した第６実施形態〜第８実施形態のペン体３０、３５、４０は各支持部材の前端に多孔質部材等の筆記部を設けているが、支持部材の前端を直接上記図１６（ａ）〜（ｅ）又は図１７（ａ）〜（ｃ）の形態とした筆記部としてもよいものである。
【００２５】
図１８は、ペン体の第９実施形態である。この第９実施形態のペン体６０は略矩形状（形状は限定されないもの）を示しているが、このペン体６０は、インキ誘導部６１と筆記部６２とが略Ｌ字状となる一体の多孔質部材からなり、その内側角部にインキ誘導部６１及び筆記部６２を補強するために可視部となる透明な支持部材６３が固定された構成となっている。
【００２６】
図１９は、ペン体の第１０実施形態である。この第１０実施形態のペン体６５は、インキ誘導部６６と筆記部６７とが略コの字状となる一体の多孔質部材からなり、その内側凹部にインキ誘導部６６と筆記部６７を補強するために可視部となる透明な支持部材６８が固定された構成となっている。
【００２７】
図２０は、ペン体の第１１実施形態である。この第１１実施形態のペン体７０は、略コの字状に形成された支持部材７１の外周側面に、一体の多孔質部材からなるインキ誘導部７２と筆記部７３が被覆されている。この略コの字状に形成された素通しとなる部分が可視部７４となるものである。
【００２８】
図２１は、ペン体の第１２実施形態である。この第１２実施形態のペン体７５は、多孔質部材からなるインキ誘導部７６と筆記部７７の外周に硬質の樹脂或いは金属管である外皮７８が被覆されると共に、略コの字状に形成され、その両端部に多孔質部材の端部がそれぞれ露出された構成となっている。この略コの字状に形成された素通しとなる部分が可視部７９となるものである。
【００２９】
図２２は、ペン体の第１３実施形態である。この第１３実施形態のペン体８０は、上記第１２実施形態と略同じ構成であり、相違点はインキ誘導部７６と筆記部７７を補強するために、略コの字状の凹部に可視可能に透明な支持部材８１が一体に形成されたものである。上記第１２実施形態と同じ構成は同じ図示符号をもって示し、その説明を省略する。
【００３０】
図２３（ａ）〜（ｃ）は、ペン体の第１４実施形態である。この第１４実施形態のペン体８５は、多孔質部材である軸状のインキ誘導部８６を略矩形状に曲げて成形して、筆記部８７が露出する状態で略矩形状の可視部となる窓部８８を有した支持部材８９の外枠８９ａと内枠８９ｂとの間に固定されている。また、支持部材８９に透明な素材からなる蓋部８９ａが固定される構成となっている。なお、蓋部８９ａは、不透明とし、素通しとなる窓部が穿設された構成であってもよい。
【００３１】
図２４〜図２６は、ペン体の第１５実施形態である。この第１５実施形態のペン体は、上述した筆記具の実施形態Ｆ（図７）のペン体として示されている。
この第１５実施形態のペン体９０は、透明な支持部材９１の外周に、略Ｕ字状の多孔質部材からなるインキ誘導部９２と筆記部９３が一体に被覆されている。
支持部材９１は、図２６（ａ）〜（ｃ）に示すように、その外周面には、インキ誘導部９２と筆記部９３の略Ｕ字状の多孔質部材を嵌合する段部９１ａを有する嵌合溝９１ｂが形成されており、また、その両側面部には図７に示す筆記具Ｆの後軸１６５の嵌合孔１６５ａに取り付けるための嵌合突部９１ｃ，９１ｃが形成されている。
この実施形態のペン体９０では、支持部材９１が透明な樹脂等からなる部材であるので、該支持部材９１が可視部となり、筆記方向を視認できるものとなる。
【００３２】
上述したように、様々なペン体の実施形態を示したが、本発明の要旨であるペン体は、上記実施形態に限定されるものではなく、それぞれの上記ペン体の実施形態１〜１５（図８〜２６）の特徴を組み合わせて適用することができ、本発明の要旨であるペン体以外の構成は特に限定されるものではない。
また、図１３〜１５の支持部材を透明又は透明で且つ可視部となる窓部を形成し、インキ誘導部となるインキ誘導溝の経路を機能性と合わせて遊び性のあるパターンを形成することによって楽しむことも可能である。
更に、アンダーラインペン等ではインキに蛍光色素、例えば、ベーシックバイオレット１１、ベーシックイエロー４０などを含有させることで、更に視認性を上げることが可能である。なお、本発明の筆記具に用いるインキ組成は特に限定されるものではない。
更にまた、インキの変わりに、液状化粧料、液状薬剤、塗布液、修正液などの液状体とし、筆記部を該液状体に併せて、例えば、多孔質部材からなる適宜形状の塗布部材を使用してもよいものである。
【００３３】
このように構成される本発明となる各実施形態の筆記具では、描線幅が太い場合であっても、右手を用いて左から右に筆記する場合、ペン体の筆記部の軸方向直上に筆記方向を視認することができる可視部があるので、ペン先の右側が見やすくなって、線の右終点位置が容易に特定可能となる。これにより、模造紙に表の枠線を引く場合や、横書きの資料にアンダーラインペンで文字を塗りつぶす時や、電車や飛行機など比較的狭い場所での使用に際して顕著な使い勝手を向上することができることとなる。
【００３４】
【発明の効果】
本発明の構成及び作用は、以上のとおりであり、描線幅の太い筆記具を右手を用いて左から右に筆記する場合、ペン体の筆記部の軸方向直上に可視部があるので、右側の視認が容易となり、線の右終点位置が容易に特定できる。特に、模造紙に表の枠線を引く場合や、横書きの資料にアンダーラインペンで文字を塗りつぶす時に極めて使い勝手が良い。また、電車、飛行機など比較的狭い場所での使用に効果を発揮する。
【図面の簡単な説明】
【図１】本発明の筆記具の実施形態Ａを示す縦断面図である。
【図２】本発明の筆記具の実施形態Ｂを示す縦断面図である。
【図３】本尭明の筆記具の実施形態Ｃを示す縦断面図であり、未使用の状態を示している。
【図４】図３の筆記具Ｃの縦断面図であり、使用の状態を示している。
【図５】本発明の筆記具の実施形態Ｄを示す縦断面図である。
【図６】本発明の筆記具の実施形態Ｅを示す縦断面図である。
【図７】（ａ）及び（ｂ）は、本発明の筆記具の実施形態Ｆを示す縦断面図及び側断面図である。
【図８】本発明の要旨となるペン体の第１実施形態を示す断面図である。
【図９】（ａ）は本発明の要旨となるペン体の第２実施形態を示す断面図であり、（ｂ）は（ａ）の変形例の断面図である。
【図１０】（ａ）は本発明の要旨となるペン体の第３実施形態を示す正面図であり、（ｂ）は（ａ）の断面図である。
【図１１】本発明の要旨となるペン体の第４実施形態を示す正面図である。
【図１２】本発明の要旨となるペン体の第５実施形態を示す正面図である。
【図１３】（ａ）は本発明の要旨となるペン体の第６実施形態を示す正面図であり、（ｂ）は（ａ）の断面図である。
【図１４】（ａ）は本発明の要旨となるペン体の第７実施形態を示す正面図であり、（ｂ）は（ａ）の断面図である。
【図１５】（ａ）は本発明の要旨となるペン体の第８実施形態を示す正面図であり、（ｂ）は（ａ）の断面図である。
【図１６】（ａ）〜（ｅ）は、それぞれ本発明のペン体における支持部材の前端を示す図面である。
【図１７】（ａ）〜（ｃ）は、それぞれ本発明のペン体における他の支持部材の前端を示す図面である。
【図１８】本発明の要旨となるペン体の第９実施形態を示す正面図である。
【図１９】本発明の要旨となるペン体の第１０実施形態を示す正面図である。
【図２０】本発明の要旨となるペン体の第１１実施形態を示す正面図である。
【図２１】本発明の要旨となるペン体の第１２実施形態を示す正面図である。
【図２２】本発明の要旨となるペン体の第１３実施形態を示す正面図である。
【図２３】（ａ）は、本発明の要旨となるペン体の第１４実施形態を示す正面図であり、（ｂ）は（ａ）のＩ−Ｉ線断面図であり、（ｃ）は蓋部を取付けた時の断面図である。
【図２４】本発明の要旨となるペン体の第１５実施形態を示す正面図である。
【図２５】第１５実施形態のペン体に用いるインキ誘導部と筆記部とが一体となった部材を示す正面図である。
【図２６】（ａ）〜（ｄ）は、順次第１５実施形態のペン体に用いる支持部材の平面図、正面図、左側面図、右側面図である。
【図２７】（ａ）は、不自然な持ち方で筆記した場合の斜視図であり、（ｂ）は通常の自然な持ち方で筆記した場合の斜視図である。
【図２８】従来の筆記具の使用状態の一例を示す図面である。
【符号の説明】
Ａ    筆記具
１０    ペン体
１１    支持部材
１１ａ  可視部
１２    インキ誘導部
１３    筆記部
【図１】
0003821609.tif 000002
【図２】
0003821609.tif 000003
【図３】
0003821609.tif 000004
【図４】
0003821609.tif 000005
【図５】
0003821609.tif 000006
【図６】
0003821609.tif 000007
【図７】
0003821609.tif 000008
【図８】
0003821609.tif 000009
【図９】
0003821609.tif 000010
【図１０】
0003821609.tif 000011
【図１１】
0003821609.tif 000012
【図１２】
0003821609.tif 000013
【図１３】
0003821609.tif 000014
【図１４】
0003821609.tif 000015
【図１５】
0003821609.tif 000016
【図１６】
0003821609.tif 000017
【図１７】
0003821609.tif 000018
【図１８】
0003821609.tif 000019
【図１９】
0003821609.tif 000020
【図２０】
0003821609.tif 000021
【図２１】
0003821609.tif 000022
【図２２】
0003821609.tif 000023
【図２３】
0003821609.tif 000024
【図２４】
0003821609.tif 000025
【図２５】
0003821609.tif 000026
【図２６】
0003821609.tif 000027
【図２７】
0003821609.tif 000028
【図２８】
0003821609.tif 000029